(57)【特許請求の範囲】
【請求項１】
第１のベース用紙部に第１の折り畳み予定線を介して連接された第２のベース用紙部と、
前記第２のベース用紙部に第２の折り畳み予定線を介して連接された第３のベース用紙部とを有するメールフォームにおいて、
前記第１のベース用紙部の片面にあって、前記第１の折り畳み予定線に沿った外周以外の外周部に設けられた被接着領域と、
前記第２のベース用紙部の、前記第１のベース用紙部の片面と同じ面にあって、前記第１の折り畳み予定線に沿った外周及び前記第２の折り畳み予定線に沿った外周以外の外周部に設けられた被接着領域と、
前記第３のベース用紙部の、前記第１のベース用紙部の片面と同じ面にあって、前記第２の折り畳み予定線に沿った外周及び前記第２の折り畳み予定線と平行な一辺に沿った外周以外の外周部に設けられた接着領域と、
前記第３のベース用紙部の、前記第１のベース用紙部の片面と逆の面にあって、前記第２の折り畳み予定線と平行な一辺に沿った外周以外の外周部に設けられた接着領域と、
前記第１のベース用紙部又は前記第２のベース用紙部のいずれか一方の用紙の、前記第１のベース用紙部の片面と逆の面に設けられた、メールフォームの受取人の属性情報が印字される印字領域と、
前記第３のベース用紙部の、前記第１のベース用紙部の片面と逆の面に剥離可能に設けられた、カード所持者の属性情報が印字される印字領域を有するカード部とを含むことを特徴とするメールフォーム。
【請求項２】
第１のベース用紙部に第１の折り畳み予定線を介して連接された第２のベース用紙部と、
前記第２のベース用紙部に第２の折り畳み予定線を介して連接された第３のベース用紙部と、
前記第３のベース用紙部に第３の折り畳み予定線を介して連接された第４のベース用紙部とを有するメールフォームにおいて、
前記第１のベース用紙部の片面にあって、前記第１の折り畳み予定線に沿った外周以外の外周部に設けられた被接着領域と、
前記第２のベース用紙部の、前記第１のベース用紙部の片面と同じ面にあって、前記第１の折り畳み予定線に沿った外周及び前記第２の折り畳み予定線に沿った外周以外の外周部に設けられた被接着領域と、
前記第３のベース用紙部の、前記第１のベース用紙部の片面と同じ面にあって、前記第２の折り畳み予定線に沿った外周及び前記第３の折り畳み予定線に沿った外周以外の外周部に設けられた被接着領域と、
前記第４のベース用紙部の、前記第１のベース用紙部の片面と同じ面にあって、前記第３の折り畳み予定線に沿った外周及び前記第３の折り畳み予定線と平行な一辺に沿った外周以外の外周部に設けられた接着領域と、
前記第３のベース用紙部の、前記第１のベース用紙部の片面と逆の面にあって、前記第３の折り畳み予定線に沿った外周以外の外周部に設けられた接着領域と、
前記第４のベース用紙部の、前記第１のベース用紙部の片面と逆の面にあって、前記第３の折り畳み予定線に沿った外周及び前記第３の折り畳み予定線と平行な一辺に沿った外周以外の外周部に設けられた接着領域と、
前記第１のベース用紙部又は前記第２のベース用紙部のいずれか一方の用紙の、前記第１のベース用紙部の片面と逆の面に設けられた、メールフォームの受取人の属性情報が印字される印字領域と、
前記第３のベース用紙部又は前記第４のベース用紙部のいずれか一方の用紙の、前記第１のベース用紙部の片面と逆の面に剥離可能に設けられた、カード所持者の属性情報が印字される印字領域を有するカード部とを含むことを特徴とするメールフォーム。
【請求項３】
折り畳み予定線を介して連接された複数のベース用紙部を有するメールフォームにおいて、
一端に位置する第１のベース用紙部の片面にあって、第１の折り畳み予定線に沿った外周以外の外周部に設けられた被接着領域と、
残りの一端に位置する最終ベース用紙部の、前記第１のベース用紙部の片面と同じ面にあって、最終折り畳み予定線に沿った外周及び前記最終折り畳み予定線と平行な一辺に沿った外周以外の外周部に設けられた接着領域と、
前記第１のベース用紙部及び前記最終ベース用紙部以外のベース用紙部の、前記第１のベース用紙部の片面と同じ面にあって、前記折り畳み予定線に沿った外周以外の外周部に設けられた被接着領域と、
前記第１のベース用紙部に前記第１の折り畳み予定線を介して連接された第２のベース用紙部にさらに第２の折り畳み予定線を介して連接された第３のベース用紙部の、前記第１のベース用紙部の片面と逆の面にあって、前記第３のベース用紙部と第４のベース用紙部を連接する第３の折り畳み予定線に沿った外周以外の外周部に設けられた接着領域と、
前記第１のベース用紙部から前記第３のベース用紙部以外のベース用紙部の、前記第１のベース用紙部の片面と逆の面にあって、前記折り畳み予定線に沿った外周以外の外周部に設けられた接着領域と、
前記第１のベース用紙部又は前記第２のベース用紙部のいずれか一方の用紙の、前記第１のベース用紙部の片面と逆の面に設けられた、メールフォームの受取人の属性情報が印字される印字領域と、
前記第１のベース用紙部及び前記第２のベース用紙部以外のいずれかひとつのベース用紙部の、前記第１のベース用紙部の片面と逆の面に剥離可能に設けられた、カード所持者の属性情報が印字される印字領域を有するカード部とを含むことを特徴とするメールフォーム。
【請求項４】
請求項１から請求項３までのいずれか１項に記載のメールフォームにおいて、
前記カード部は、
前記ベース用紙部の一部を切断して使用するカード基材と、
前記カード基材の剥離される方向と逆の面に積層される表面保護フィルムと、
前記表面保護フィルムに剥離可能に疑似接着されたカード保持フィルムとを備えることを特徴とするメールフォーム。
【請求項５】
請求項４に記載のメールフォームにおいて、
前記カード部は、前記カード基材の剥離される方向と同じ面に積層された印刷適性のある表面保護フィルムをさらに備えることを特徴とするメールフォーム。
【発明の詳細な説明】
【０００１】
【発明の属する技術分野】
本発明は、会員カード等の郵送に適したメールフォームに関するものである。
【０００２】
【従来の技術】
図４は、従来のカード郵送に使用される台紙及び封筒を示す平面図及び断面図である。
従来、カードを郵送するときは、カード部１２が剥離可能に接着している台紙１１に受取人の宛名・氏名等を印字して、さらに、カード部１２に会員名や会員ナンバー等を印字して、その台紙１１を窓あき封筒１６に封入・封緘していた。
【０００３】
【発明が解決しようとする課題】
しかし、前述した従来の方法では、台紙１１を窓あき封筒１６に封入・封緘するため、手間がかかっていた。
また、カード部１２が台紙１１の上に積層されているため、台紙１１に印字する際に、カード部１２が原因となって紙詰まり等を引き起こす障害となっていた。
【０００４】
本発明の課題は、カードを封入・封緘する手間が省け、きれいに印字ができるカード郵送に適するメールフォームを提供することである。
【０００５】
【課題を解決するための手段】
前記課題を解決するために、請求項１の発明は、第１のベース用紙部（４１ａ）に第１の折り畳み予定線（４２ａ）を介して連接された第２のベース用紙部（４１ｂ）と、第２のベース用紙部（４１ｂ）に第２の折り畳み予定線（４２ｂ）を介して連接された第３のベース用紙部（４１ｃ）とを有するメールフォーム（４０）において、第１のベース用紙部（４１ａ）の片面にあって、第１の折り畳み予定線（４２ａ）に沿った外周以外の外周部に設けられた被接着領域（４３ａ）と、第２のベース用紙部（４１ｂ）の、第１のベース用紙部の片面と同じ面にあって、第１の折り畳み予定線（４２ａ）に沿った外周及び第２の折り畳み予定線（４２ｂ）に沿った外周以外の外周部に設けられた被接着領域（４３ｂ）と、第３のベース用紙部（４１ｃ）の、第１のベース用紙部の片面と同じ面にあって、第２の折り畳み予定線（４２ｂ）に沿った外周及び第２の折り畳み予定線（４２ｂ）と平行な一辺に沿った外周以外の外周部に設けられた接着領域（４５ｃ）と、第３のベース用紙部（４１ｃ）の、第１のベース用紙部の片面と逆の面にあって、第２の折り畳み予定線（４２ｂ）と平行な一辺に沿った外周以外の外周部に設けられた接着領域（４４ｃ）と、第１のベース用紙部（４１ａ）又は第２のベース用紙部（４１ｂ）のいずれか一方の用紙の、第１のベース用紙部の片面と逆の面に設けられた、メールフォームの受取人の属性情報が印字される印字領域（４１ａ−１）と、第３のベース用紙部（４１ｃ）の、第１のベース用紙部の片面と逆の面に剥離可能に設けられた、カード所持者の属性情報が印字される印字領域を有するカード部（４８）とを含むことを特徴とするメールフォームである。
【０００６】
請求項２の発明は、第１のベース用紙部（２１ａ）に第１の折り畳み予定線（２２ａ）を介して連接された第２のベース用紙部（２１ｂ）と、第２のベース用紙部（２１ｂ）に第２の折り畳み予定線（２２ｂ）を介して連接された第３のベース用紙部（２１ｃ）と、第３のベース用紙部（２１ｃ）に第３の折り畳み予定線（２２ｃ）を介して連接された第４のベース用紙部（２１ｄ）とを有するメールフォーム（２０）において、第１のベース用紙部（２１ａ）の片面にあって、第１の折り畳み予定線（２２ａ）に沿った外周以外の外周部に設けられた被接着領域（２３ａ）と、第２のベース用紙部（２１ｂ）の、第１のベース用紙部の片面と同じ面にあって、第１の折り畳み予定線（２２ａ）に沿った外周及び第２の折り畳み予定線（２２ｂ）に沿った外周以外の外周部に設けられた被接着領域（２３ｂ）と、第３のベース用紙部（２１ｃ）の、第１のベース用紙部の片面と同じ面にあって、第２の折り畳み予定線（２２ｂ）に沿った外周及び第３の折り畳み予定線（２２ｃ）に沿った外周以外の外周部に設けられた被接着領域（２３ｃ）と、第４のベース用紙部（２１ｄ）の、第１のベース用紙部の片面と同じ面にあって、第３の折り畳み予定線（２２ｃ）に沿った外周及び第３の折り畳み予定線（２２ｃ）と平行な一辺に沿った外周以外の外周部に設けられた接着領域（２５ｄ）と、第３のベース用紙部（２１ｃ）の、第１のベース用紙部の片面と逆の面にあって、第３の折り畳み予定線（２２ｃ）に沿った外周以外の外周部に設けられた接着領域（２４ｃ）と、第４のベース用紙部（２１ｄ）の、第１のベース用紙部の片面と逆の面にあって、第３の折り畳み予定線（２２ｃ）に沿った外周及び第３の折り畳み予定線（２２ｃ）と平行な一辺に沿った外周以外の外周部に設けられた接着領域（２４ｄ）と、第１のベース用紙部（２１ａ）又は第２のベース用紙部（２１ｂ）のいずれか一方の用紙の、第１のベース用紙部の片面と逆の面に設けられた、メールフォームの受取人の属性情報が印字される印字領域（２１ａ−１）と、第３のベース用紙部（２１ｃ）又は第４のベース用紙部（２１ｄ）のいずれか一方の用紙の、第１のベース用紙部の片面と逆の面に剥離可能に設けられた、カード所持者の属性情報が印字される印字領域を有するカード部（２８）とを含むことを特徴とするメールフォームである。
【０００７】
請求項３の発明は、折り畳み予定線（５２）を介して連接された複数のベース用紙部（５１）を有するメールフォーム（５０）において、一端に位置する第１のベース用紙部（５１ａ）の片面にあって、第１の折り畳み予定線（５２ａ）に沿った外周以外の外周部に設けられた被接着領域（５３ａ）と、残りの一端に位置する最終ベース用紙部（５１ｚ）の、第１のベース用紙部の片面と同じ面にあって、最終折り畳み予定線（５２ｙ）に沿った外周及び最終折り畳み予定線（５２ｙ）と平行な一辺に沿った外周以外の外周部に設けられた接着領域（５５ｚ）と、第１のベース用紙部（５１ａ）及び最終ベース用紙部（５１ｚ）以外のベース用紙部の、第１のベース用紙部の片面と同じ面にあって、折り畳み予定線（５２）に沿った外周以外の外周部に設けられた被接着領域（５３）と、第１のベース用紙部（５１ａ）に第１の折り畳み予定線（５２ａ）を介して連接された第２のベース用紙部（５１ｂ）にさらに第２の折り畳み予定線（５２ｂ）を介して連接された第３のベース用紙部（５１ｃ）の、第１のベース用紙部の片面と逆の面にあって、第３のベース用紙部（５１ｃ）と第４のベース用紙部（５１ｄ）を連接する第３の折り畳み予定線（５２ｃ）に沿った外周以外の外周部に設けられた接着領域（５４ｃ）と、第１のベース用紙部（５１ａ）から第３のベース用紙部（５１ｃ）以外のベース用紙部の、第１のベース用紙部の片面と逆の面にあって、折り畳み予定線（５２）に沿った外周以外の外周部に設けられた接着領域（５４）と、第１のベース用紙部（５１ａ）又は第２のベース用紙部（５１ｂ）のいずれか一方の用紙の、第１のベース用紙部の片面と逆の面に設けられた、メールフォームの受取人の属性情報が印字される印字領域（５１ａ−１）と、第１のベース用紙部（５１ａ）及び第２のベース用紙部（５１ｂ）以外のいずれかひとつのベース用紙部の、第１のベース用紙部の片面と逆の面に剥離可能に設けられた、カード所持者の属性情報が印字される印字領域を有するカード部（５８）とを含むことを特徴とするメールフォームである。
【０００８】
請求項４の発明は、請求項１から請求項３までのいずれか１項に記載のメールフォームにおいて、カード部（２８）は、ベース用紙部の一部を切断して使用するカード基材（２８−１）と、カード基材の剥離される方向と逆の面に積層される表面保護フィルム（２８−３）と、表面保護フィルム（２８−３）に剥離可能に疑似接着されたカード保持フィルム（２７）とを備えることを特徴とするメールフォームである。
【０００９】
請求項５の発明は、請求項４に記載のメールフォームにおいて、カード部（２８）は、カード基材（２８−１）の剥離される方向と同じ面に積層された印刷適性のある表面保護フィルム（２８−２）をさらに備えることを特徴とするメールフォームである。
【００１１】
【発明の実施の形態】
以下、図面等を参照して、本発明の実施の形態について、さらに詳しくに説明する。
（第１実施形態）
図１は、本発明によるメールフォームの第１実施形態を示す平面図である。
メールフォーム２０は、ベース用紙２１（２１ａ〜２１ｄ）と、折り畳み予定線２２（２２ａ〜２２ｃ）と、被接着領域２３（２３ａ〜２３ｃ）と、接着領域２４（２４ｃ、２４ｄ）、２５（２５ｄ）と、印字領域２１ａ−１と、表面保護フィルム２８−２、２８−３と、カード保持フィルム２７とを有している。
【００１２】
ベース用紙２１は、折り畳み予定線２２を介して、図中上下方向に連接されている。ベース用紙２１は、例えば、連量７０Ｋｇ程度の上質紙から形成されている。また、折り適性を有するものが選定されている。
ベース用紙２１の表裏面には、宣伝広告等が印刷されている。
ベース用紙部２１ａの表面は、メールフォーム２０が封止されたときに、外面となる面であり、メールフォーム２０の受取人の宛名等を印字するための印字領域２１ａ−１が設けられている。
ベース用紙部２１ｃは、その一部にカード基材２８−１を有している。
【００１３】
被接着領域２３は、開封しやすいように接着力抑制する領域であり、本実施形態では、予めニス等が塗布されている。そして、その一部に、＋字形状をした被接着部２３−１が設けられており、ここにはニス等の塗布はされていない［図１（Ｄ）］。
接着領域２４、２５には、予め接着剤が塗布されている。
【００１４】
表面保護フィルム２８−２は、ベース用紙部２１ｃのカード基材２８−１の表面にラミネートされている。表面保護フィルム２８−２の大きさは、カード基材２８−１の大きさより一回り大きい程度である。また、この表面保護フィルム２８−２の上には、カード所持者の属性情報が印字される印字領域２８−２−１が設けられており、印字適性のあるフィルムを使用することが好ましい。
表面保護フィルム２８−３は、カード基材２８−１の裏面にラミネートされている。フィルム２８−３の大きさも、カード基材２８−１の大きさより一回り大きい程度である。
カード基材２８−１と、このカード基材２８−１にラミネートされた表面保護フィルム２８−２、２８−３は、破線２８ｃでダイカットされ、カード部２８として分離できるようになっている。
カード保持フィルム２７は、表面保護フィルム２８−３のさらに外側に疑似接着されており、カード部２８を保持している。
【００１５】
次にメールフォーム２０の使用方法について説明する。
メールフォーム２０は、帳票加工装置により処理される。メールフォーム２０は、最初は連続帳票状であり、この状態で宣伝広告等、受取人によらない共通情報が印刷される。次に、ベース用紙部２１ａの印字領域２１ａ−１にメールフォーム２０の受取人の宛名等が印字され、カード部２８の印字領域２８−２−１に、カード所持者の属性情報が印字される。そして、各メールフォームごとに裁断され、折り畳まれる。
【００１６】
図２は、メールフォーム２０の折り畳みを説明する図である。
まず、図２（Ａ）のように、折り畳み予定線２２ｃで折り畳まれて、接着領域２５ｄと被接着領域２３ｃが重なりあう。接着領域２５ｄに塗布されている接着剤が、被接着領域２３ｃにある＋字形状の被接着部２３ｃ−１に染み込み、接着される。次に、図２（Ｂ）のように、折り畳み予定線２２ｂで折り畳まれて、接着領域２４ｄと被接着領域２３ｂが重なりあう。接着領域２４ｄに塗布されている接着剤が、被接着領域２３ｂにある＋字形状の被接着部２３ｂ−１に染み込み、接着される。最後に、図２（Ｃ）のように、折り畳み予定線２２ａで折り畳まれて、接着領域２４ｃと被接着領域２３ａが重なりあう。接着領域２４ｃに塗布されている接着剤が、被接着領域２３ａにある＋字形状の被接着部２３ａ−１に染み込み、接着される。
以上の工程により、メールフォーム２０は、封止される。この状態で、メールフォーム２０は、郵送等により受取人に送付される。
【００１７】
受取人は、メールフォーム２０を受け取ると、これを開封する。開封は、上記封止の逆の手順で行う。接着剤は、被接着領域２３のうちの＋字形状の被接着部２３−１にしか染み込んでいないので、受取人は、容易にメールフォーム２０を開封することができ、図１で示した形状に展開できる。したがって、受取人は、メールフォームに印刷された宣伝広告等を一覧して、カード部２８を保持フィルムから取り外すことができる。
【００１８】
メールフォーム２０の用途としては、各種会員券等の送付に用いることがあげられる。裏面側には宣伝広告、トピックス等の会員共通情報を印刷し、表面側には、例えば、会員の宛名や会員各人のポイントに応じたメッセージ等を印字する。
【００１９】
本実施形態によれば、メールフォームに直接、メールフォーム受取人の属性情報と、カード属性情報が印字されるので、カードが貼られた台紙を封筒に封入・封緘する手間がなくなる。また、それらの属性情報は、メールフォームの同一面上に印字されるため、印字の際のデータマッチングのミスが無くせる。さらに、カードにメールフォームのベース用紙を利用するので、カード部の張り出しがほとんどなくなって、メールフォームやカード部に印字する際の障害がなくなり、きれいに印字することが可能になる。
【００２０】
（第２実施形態）
図３は、本発明によるメールフォームの他の実施形態を示す平面図である。
なお、前述した第１実施形態と同様の機能を果たす部分には、符号末尾を同じにして、重複する説明を適宜省略する。
メールフォーム３０は、メールフォーム受取人の属性情報の印字されたベース用紙（３１ａ）と、カード部（３８）と、カードを保持するベース用紙（３１ｂ）と、ベース用紙を封止するための接着領域（３５ｂ）と、接着力を調整する被接着領域（３３ａ）を有している。
メールフォーム３０によれば、メールフォームに、受取人の属性情報が印字され、剥離可能なカード部が設けられているので、台紙を窓あき封筒に封入・封緘する手間を省くことができる。
メールフォーム４０は、メールフォーム受取人の属性情報の印字されたベース用紙（４１ａ）と、カード部（４８）と、カードを保持するベース用紙（４１ｃ）と、ベース用紙を封止するための接着領域（４４ｃ、４５ｃ）と、接着力を調整する被接着領域（４３ａ、４３ｂ）を有している。
メールフォーム４０によれば、メールフォームの受取人の属性情報とカード所有者の属性情報がメールフォームの同じ面に印字されるので、印字の際のデータマッチングのミスを無くすことができる。
メールフォーム５０は、メールフォーム受取人の属性情報の印字されたベース用紙（５１ａ）と、カード部（５８）と、カードを保持するベース用紙（５１ｃ）と、ベース用紙を封止するための接着領域（５４ｃ〜５４ｚ、５５ｚ）と、接着力を調整する被接着領域（５３ａ〜５３ｙ）を有している。
メールフォーム５０によれば、メールフォームは複数のベース用紙部を備えているので、多くの宣伝広告等が印刷できる。
以上のようにベース用紙の数が２枚のものから多数のものまで、さまざまな形態で実施可能である。
【００２１】
以上、本発明の実施形態について説明したが、本発明は上述の実施形態に限定されることなく、以下のような種々の変形や変更が可能であって、それらも本発明の均等の範囲内である。
（１）接着領域に接着剤を点付けすれば、被接着領域には何も塗布しなくてもよい。また、ベース用紙を剥離不能なように強接着し、開封時にその強接着された部分を切り離す方法としてもよい。
（２）折り畳み方法は、実施形態のように巻いて折る方法に限らず、重ねて折る方法や、それらを組み合わせた方法など様々な方法をとってもかまわない。その場合は、それらに応じて、接着領域と、被接着領域を設ければよい。
（３）カード部は、任意のベース用紙部の上に設けてよい。
（４）ベース用紙の形状は、長方形をはじめ、様々な形状でかまわない。
【００２２】
【発明の効果】
以上詳しく説明したように、請求項１の発明によれば、メールフォームに、受取人の属性情報が印字され、剥離可能なカード部が設けられているので、台紙を窓あき封筒に封入・封緘する手間を省くことができる。
【００２３】
請求項２の発明によれば、メールフォームの受取人の属性情報とカード所有者の属性情報がメールフォームの同じ面に印字されるので、印字の際のデータマッチングのミスを無くすことができる。
【００２４】
請求項３の発明によれば、メールフォームは４枚のベース用紙部を備えているので、多くの宣伝広告等が印刷できる。
【００２５】
請求項４の発明によれば、メールフォームは複数のベース用紙部を備えているので、さらに多くの宣伝広告等が印刷できる。
【００２６】
請求項５の発明によれば、メールフォームのカード部は、ベース用紙部の一部を切断して使用するので、ベース用紙部からの張り出しを小さくできて、きれいに印字ができる。
【００２７】
請求項６の発明によれば、メールフォームのカード部の印字面に印刷適性のある表面保護フィルムを備えるので、印字面をきれいにできる。
【図面の簡単な説明】
【図１】本発明によるメールフォームの第１実施形態を示す平面図である。
【図２】メールフォーム２０の折り畳みを説明する図である。
【図３】本発明によるメールフォームの他の実施形態を示す平面図である。
【図４】従来のカード郵送に使用される台紙及び封筒を示す平面図及び断面図である。
【符号の説明】
１１  台紙
１２−１、２８−１  カード基材
１２−２、２８−２、２８−３  表面保護フィルム
１２、２８  カード部
１５、２７  カード保持フィルム
１６  窓あき封筒
２０  メールフォーム
２１  ベース用紙
２２  折り畳み予定線
２３  被接着領域
２４、２５  接着領域
【図１】
0003883143.tif 000002
【図２】
0003883143.tif 000003
【図３】
0003883143.tif 000004
【図４】
0003883143.tif 000005